(57)【要約】      （修正有）【課題】ユーザの操作性を低下せずに、意図しない機能の実行がされることを防ぐ電子機器を提供する。【解決手段】デジタルカメラ１００は、表示部２８に表示された複数の選択項目のうちいずれかを選択可能な十字キー７４と、ＳＥＴボタン７５と、ＳＥＴボタンよりも十字キーから離れた位置にあるＯＫボタン１７２と、表示部の表示を制御する制御手段と、を有する。制御手段は、第１の処理に関する設定をするための設定画面においては、第１の処理を実行することを示す第１の選択項目と、第１の処理を実行しないことを示す第２の選択項目とが選択可能であり、設定画面において第１の選択項目が選択された場合には、ＯＫボタンの操作に応じて第１の処理を実行し、ＳＥＴボタンの操作がされても第１の処理を実行しない。また、設定画面において第２の選択項目が選択された場合には、ＳＥＴボタンの操作に応じて、設定画面とは異なる画面へと切り替える。【選択図】図１
2018109834.tif 000002
【特許請求の範囲】
【請求項１】
表示部に表示された複数の選択項目のうちいずれかを選択可能な選択手段と、
第１の操作部材と、
前記第１の操作部材よりも前記選択手段から離れた位置にある第２の操作部材と、
前記表示部に表示される、第１の処理に関する設定をするための第１の設定画面においては、前記第１の処理を実行することを示す第１の選択項目と、前記第１の処理を実行しないことを示す第２の選択項目とが選択可能であり、
前記第１の設定画面において前記第１の選択項目が選択された場合には、前記第２の操作部材への操作に応じて前記第１の処理を実行し、前記第１の操作部材への操作がされても前記第１の処理を実行せず、
前記第１の設定画面において前記第２の選択項目が選択された場合には、前記第１の操作部材への操作に応じて前記第１の設定画面から前記第１の設定画面とは異なる画面へと切り替えるように制御する制御手段とを有することを特徴とする電子機器。
【請求項２】
前記第１の処理が実行された後、前記第１の設定画面において前記第２の選択項目を選択し、前記第１の操作部材への操作を行っても、該第１の処理を行う前の状態には戻せないことを特徴とする請求項１に記載の電子機器。
【請求項３】
前記制御手段は、前記第１の処理とは異なる第２の処理に関する設定をするための第２の設定画面においては、前記第２の処理に関する第３の選択項目と、第４の選択項目のうち、
前記第３の選択項目が選択された場合には前記第１の操作部材への操作に応じて前記第３の選択項目に設定し、
前記第４の選択項目が選択された場合にも前記第１の操作部材への操作に応じて前記第４の選択項目に設定するように制御することを特徴とする請求項１または２に記載の電子機器。
【請求項４】
前記第２の設定画面において前記第４の選択項目に設定されている状態から前記第３の選択項目に設定がされた後、前記第２の設定画面において前記第４の選択項目に設定した状態に戻せることを特徴とする請求項３に記載の電子機器。
【請求項５】
前記制御手段は、前記第１の設定画面において前記第２の選択項目が選択された場合には、前記第２の操作部材への操作に応じて前記第１の設定画面から前記第１の設定画面とは異なる画面へと切り替えるように制御することを特徴とする請求項１乃至４のいずれか１項に記載の電子機器。
【請求項６】
前記第１の設定画面は、前記第１の処理の実行の有無を決定するための画面であることを特徴とする請求項１乃至５のいずれか１項に記載の電子機器。
【請求項７】
前記第１の処理は、記録媒体のフォーマットであることを特徴とする請求項１乃至６のいずれか１項に記載の電子機器。
【請求項８】
前記第１の処理は、インターネットへの画像のアップロードまたは言語の設定を含むことを特徴とする請求項１乃至６のいずれか１項に記載の電子機器。
【請求項９】
前記制御手段は、前記第１の選択項目が選択されると前記第１の選択項目は、前記第２の操作部材への操作に応じて設定できることを示すガイドを表示するように制御することを特徴とする請求項１乃至８のいずれか１項に記載の電子機器。
【請求項１０】
前記制御手段は、前記第２の選択項目が選択されると前記第２の選択項目は、前記第１の操作部材への操作に応じて設定できることを示すガイドを表示するように制御することを特徴とする請求項１乃至９のいずれか１項に記載の電子機器。
【請求項１１】
前記第２の処理は、タッチ操作を有効にする処理であることを特徴とする請求項３または４に記載の電子機器。
【請求項１２】
前記第２の処理は、撮影に関する設定項目の設定値を設定する処理であることを特徴とする請求項３または４に記載の電子機器。
【請求項１３】
撮像手段と、
前記撮像手段により撮影された画像データを、記憶媒体に記憶する記憶手段と
を更に有することを特徴とする請求項１乃至１２のいずれか１項に記載の電子機器。
【請求項１４】
前記第１の操作部材と前記選択手段とは、前記電子機器の第１の把持部側にあり、前記第２の操作部材は、前記電子機器の第２の把持部側にあることを特徴とする請求項１乃至１３のいずれか１項に記載の電子機器。
【請求項１５】
前記第１の操作部材は、前記選択手段により選択された選択項目に設定するための指示を受付け可能な操作部材であることを特徴とする請求項１乃至１４のいずれか１項に記載の電子機器。
【請求項１６】
前記第２の操作部材は、ユーザの項目を選択する操作なしに、表示画面ごとに予め定まった指示を受付け可能な操作部材であることを特徴とする請求項１乃至１５のいずれか１項に記載の電子機器。
【請求項１７】
コンピュータを、請求項１乃至１６のいずれか１項に記載された電子機器の各手段として機能させるためのプログラム。
【請求項１８】
請求項１７に記載のプログラムを記憶したコンピュータが読み取り可能な記憶媒体。
【発明の詳細な説明】
【技術分野】
【０００１】
本発明は、電子機器およびその制御方法に関する。
【背景技術】
【０００２】
設定や記憶媒体の初期化など、一度選択されてしまうと簡単には元の状態に戻せなくなってしまうような項目がある。特許文献１には、次のような操作および制御が開示されている。まず、メニューから設定の初期化の設定画面に入った場合に、初期化実行前に確認画面を表示する。そして、ユーザが確認画面において「ＯＫ」または「キャンセル」を選択してからＳＥＴボタンを押下することで、初期化の実行またはキャンセルがされることが開示されている。
【先行技術文献】
【特許文献】
【０００３】
【特許文献１】特開特開２０１６−１４３３４７号公報
【発明の概要】
【発明が解決しようとする課題】
【０００４】
しかしながら、特許文献１の方法では、初期化をする場合でも、初期化をしない場合でも、「ＯＫ」または「キャンセル」の選択肢を変えるだけで、その後、処理の実行またはキャンセルのためにＳＥＴボタンを押下する操作は共通である。そのため、ユーザが誤って「ＯＫ」を選択し、続けてＳＥＴボタンを押下してしまった場合に、初期化をしてしまう可能性がある。一方、誤って削除することを防ぐために、消去することの確認画面においては、普段とは異なる部材にすることが考えられるが、消去する意図がなく確認画面に入ってきたユーザにとっては、抜けにくくなる。
【０００５】
本発明は上記問題点を鑑みてなされたものであり、ユーザの操作性を低下せずに、意図しない機能の実行がされることを防ぐことを目的とする。
【課題を解決するための手段】
【０００６】
上記目的を達成するために、本発明の電子機器は、表示部に表示された複数の選択項目のうちいずれかを選択可能な選択手段と、第１の操作部材と、前記第１の操作部材よりも前記選択手段から離れた位置にある第２の操作部材と、前記表示部に表示される、第１の処理に関する設定をするための第１の設定画面においては、前記第１の処理を実行することを示す第１の選択項目と、前記第１の処理を実行しないことを示す第２の選択項目とが選択可能であり、前記第１の設定画面において前記第１の選択項目が選択された場合には、前記第２の操作部材への操作に応じて前記第１の処理を実行し、前記第１の操作部材への操作がされても前記第１の処理を実行せず、前記第１の設定画面において前記第２の選択項目が選択された場合には、前記第１の操作部材への操作に応じて前記第１の設定画面から前記第１の設定画面とは異なる画面へと切り替えるように制御する制御手段とを有する。
【発明の効果】
【０００７】
本発明によれば、ユーザが操作性を低下せずに、意図しない機能の実行がされることを防ぐことができる。
【図面の簡単な説明】
【０００８】
【図１】本実施形態におけるデジタルカメラの外観図。
【図２】実施形態に係るデジタルカメラおよびレンズユニットの構成を示すブロック図。
【図３】実施形態に係る起動から静止画撮影までの処理を示すフローチャート。
【図４】実施形態に係るメニュー第一階層処理のフローチャートである。
【図５】実施形態に係る基本的なメニュー画面におけるメニュー操作処理のフローチャート。
【図６】実施形態に係る記録媒体のフォーマット設定処理のフローチャート。
【図７】実施形態に係る基本的なメニュー操作処理におけるメニュー画面の一例を示す図。
【図８】実施形態に係る記録媒体のフォーマット設定メニュー画面の一例を示す図。
【発明を実施するための形態】
【０００９】
以下、添付図面を参照して本発明を実施するための形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。なお、以下に説明する実施形態では、本発明に係る電子機器が、静止画像と動画の撮影が可能な撮像装置であるデジタルカメラに適用した場合を例にして説明する。
【００１０】
［デジタルカメラの構成］
図１は、本発明を適用可能な装置の一例として、デジタルカメラ１００の外観図を示す。図１（ａ）はデジタルカメラ１００の前面斜視図であり、図１（ｂ）はデジタルカメラ１００の背面斜視図である。
【００１１】
図１において、表示部２８は、画像や各種情報を表示する、カメラ背面に設けられた表示部である。ファインダー外表示部４３は、カメラ上面に設けられた表示部であり、シャッター速度や絞りをはじめとするカメラの様々な設定値が表示される。レンズユニット１５０はレンズを含むレンズ部である。
【００１２】
端子カバー４０は外部機器に接続するための接続ケーブルとデジタルカメラ１００とを接続する接続ケーブル等のコネクタ（不図示）を保護するカバーである。蓋２０２は記録媒体を格納するためのスロットの蓋である。グリップ部９０は、ユーザーがデジタルカメラ１００を構えた際に右手で握りやすい形状とした保持部である。ユーザが撮影体勢に入り、デジタルカメラ１００を構えた場合には、ユーザは右手でグリップ部９０、左手でレンズ部を支える。このとき、右手で表示部２８右側のボタン等は操作できるが、左側にあるメニューボタン１７１やＯＫボタン１７２の操作はしにくい。一方で撮影体勢でない場合には、右手でグリップ部９０、左手でデジタルカメラ１００の左の把持部を持つことで、両手でボタン操作ができるようになる。すなわち、右手で表示部２８右側のボタンを操作し、左手で表示部２８の左側のボタン（左の把持部側）を操作することができる。
【００１３】
デジタルカメラの背面、上面、側面等の複数箇所には、操作部材が設けられている。操作部材は、各種モードを切り替えるためのモード切替スイッチ６０、撮影指示を行うためのシャッターボタン６１、電源のＯＮ／ＯＦＦを切り替えるための電源スイッチ７２の他に、複数の操作部材（図２に示す操作部７０に相当）を含む。
【００１４】
ここで、操作部７０に含まれる操作部材について説明する。メイン電子ダイヤル７１は回転操作部材であり、このメイン電子ダイヤル７１を回すことで、シャッター速度や絞りなどの設定値の変更等を行うことができる。サブ電子ダイヤル７３も回転操作部材であり、選択枠の移動や画像送りなどを行うことができる。十字キー７４は、上、下、左、右部分をそれぞれ押し込み可能な十字型の４方向キーであり、十字キー７４の押した部分に応じた操作が可能（カーソルの移動可能、項目の選択可能）である。ＳＥＴボタン７５は、主に項目の決定などに用いられる十字キー７４の各キーの真ん中にある押しボタンであり、十字キー７４の各キーへの操作をした後、素早くＳＥＴボタン７５を操作することで、選択と決定をすることができる。
【００１５】
ＬＶボタン７６は、メニュー画面においてライブビュー（ＬＶ）のＯＮ／ＯＦＦを切り替えるボタンである。動画撮影モードにおいては、動画撮影（記録）の開始、停止の指示に用いられる。拡大ボタン７７は、撮影モードのライブビュー表示において、拡大モードのＯＮ／ＯＦＦ、および拡大モード中の拡大率の変更を行うための操作ボタンである。また、再生モードにおいては再生画像を拡大し、拡大率を増加させるための拡大ボタンとして機能する。縮小ボタン７８は、拡大された再生画像の拡大率を低減させ、表示された画像を縮小させるための操作ボタンである。
【００１６】
再生ボタン７９は、撮影モードと再生モードとを切り替えるための操作ボタンである。撮影モード中に再生ボタン７９を押下することで再生モードに移行し、記録媒体２００に記録された画像のうち最新の画像を表示部２８に表示させることができる。メニューボタン１７１は、主にメニュー画面の呼び出しや、設定画面から抜ける処理に用いられる。メニュー画面においては、複数の設定項目の一覧が表示されており、ユーザは設定項目を選択することで、設定変更操作をすることができる。メニュー画面においては、撮影に関する設定項目をまとめたリスト、再生に関する設定項目をまとめたリスト、記録に関する設定をまとめたリスト、一般的なカメラの設定に関する設定項目をまとめたリストがある。ユーザはメニュー画面内において各リストの中にある設定項目を選択することができる。なお、各リストを選択した上で選択したリスト内の設定項目を選択操作も可能であるし、設定項目の切り替え操作を順次行うことで全てのリスト内の設定項目を表示、選択することもできる。
【００１７】
ＯＫボタン１７２は、ＳＥＴボタン７５と同様に主に項目の決定などに用いられる。ＳＥＴボタン７５とＯＫボタン１７２は、選択した項目を決定するのに使用できるという同じ機能を有しているが、異なる機能も有している。ＳＥＴボタン７５はメニュー画面等の複数の項目から何れかの項目を十字キー７４で選択した後、選択した項目に決定するために主に使用される、すなわち、ＳＥＴボタン７５は主に十字キー７４による選択がされた上で使用される。ＳＥＴボタン７５は、十字キー７４との位置が近いので、ユーザが項目の選択と決定を何回も行う場合や、素早く設定変更をするような場合、デジタルカメラ１００を構えた状態でボタン操作をする場合に操作性が良い位置にある。一方、ＯＫボタン１７２は十字キー７４等による項目の選択がされていない状態でも使用可能なボタンである。例えば、無線通信をするような画面において、通信確立までの解説を次々に表示していくような、ユーザが項目を選択するのではない画面を次に切り替える場合に使用できる。つまり、ユーザが解説を読み理解した場合にＯＫを押すことで、次の解説を表示する画面に切り替え、前の解説を表示する画面に戻る場合にはメニューボタン１７１を操作する。さらに撮影方法に関するガイダンスや編集方法に関するガイダンスを表示する際に、それぞれの表示画面ごとに記載の内容を確認する度にＯＫを押すことで内容の確認と次ページの表示指示をすることができる。このようにＯＫボタンは十字キー７４等を用いた選択肢の確定ではなく、予め画面ごとに定まった機能の確定を指示することができる。
【００１８】
また、時刻設定時など、表示されている候補からユーザが選択操作をするというよりも、ユーザが年月日と時分秒とを設定するような画面においてもＯＫボタン１７２が使用される。無線通信の確立をする操作時や時刻設定の操作時は、撮影するためにデジタルカメラ１００を構えた状態で行うよりも、両手でデジタルカメラ１００を持って操作をしている可能性が高いので、ＯＫボタンの方がユーザにとって直感的で分かりやすく、また操作性も低下しない。以上が操作部７０に含まれる操作部材であるが、上記の他にも操作部材を設けてもよいし、また、上述した操作部材の一部に複数の機能を割り当てて共用するようにしてもよい。
【００１９】
ファインダー１６は被写体を視認するためのファインダ部であり、覗き込むことで被写体の光学像（光学式ファインダの場合）やＬＶ画像（電子ビューファインダの場合）を視認することができる。
【００２０】
図２は、本実施形態におけるデジタルカメラ１００と、デジタルカメラ１００に着脱可能なレンズユニット１５０の構成例を示すブロック図である。
【００２１】
レンズユニット１５０に含まれるレンズ１０３は、通常、複数枚のレンズから構成されるが、ここでは簡略的に一枚のレンズで表している。通信端子６は、レンズユニット１５０がデジタルカメラ１００側と通信を行う為の通信端子、通信端子１０は、デジタルカメラ１００がレンズユニット１５０側と通信を行う為の通信端子である。レンズユニット１５０は、この通信端子６，１０を介してシステム制御部５０と通信し、レンズシステム制御回路４によって絞り駆動回路２を介して絞り１の制御を行うと共に、ＡＦ駆動回路３を介して、レンズ１０３の位置を変位させることで焦点を合わせる。
【００２２】
レンズユニット１５０を介して入射した被写体からの光束は、光学部材であるメインミラー１１に入射する。メインミラー１１は、光路に挿入されたミラーダウン時には入射した光束をフォーカシングスクリーン１３へ導くように反射する。一方、露光、ライブビュー撮影、動画撮影の際には、システム制御部５０からの指示に基づく不図示のアクチュエータにより、光学部材であるサブミラー１２と共に撮像部２２へ光束を導くように上方に跳ね上がり（ミラーアップ）、光路から退避する。
【００２３】
ミラーダウン時にメインミラー１１により上方に反射された光束は、フォーカシングスクリーン１３上に被写体像として結像される。撮影者はこの像をペンタプリズム１４とファインダー１６を介して観察することで、レンズユニット１５０を通して得た被写体の光学像の焦点や構図の確認が可能となる。ＡＥセンサー１７は、レンズユニット１５０を通した被写体の輝度を測光する。
【００２４】
メインミラー１１はその中央部が光の一部を透過するハーフミラーとなっており、ミラーダウン時に光束の一部を透過する。メインミラー１１を透過した光束は、後方に配置されたサブミラー１２で下方へ曲げられて、焦点検出部２５へ導かれる。焦点検出部２５は、内部に配置された、光電変換を行うための対のラインセンサ群からの出力信号をシステム制御部５０に出力する。システム制御部５０では、この出力信号の位相差を求めることで、被写体に対するレンズ１０３の焦点調節状態を示すデフォーカス量を求め、求めたデフォーカス量に基づいてレンズユニット１５０を制御することで、焦点調節を行う。
【００２５】
シャッター１０１は、システム制御部５０の制御により撮像部２２の露光時間を制御するためのフォーカルプレーンシャッターである。撮像部２２は、光学像を電気信号に変換するＣＣＤやＣＭＯＳ素子等で構成される撮像素子である。Ａ／Ｄ変換器２３は、撮像部２２から出力されるアナログ信号をデジタル信号に変換する。
【００２６】
画像処理部２４は、Ａ／Ｄ変換器２３からのデータまたはメモリ制御部１５からのデータに対して、所定の画素補間処理や、縮小といったリサイズ処理、色変換処理を行う。また、画像処理部２４は、Ａ／Ｄ変換器２３から出力される画像データを用いて所定の演算処理を行い、得られた演算結果に基づいてシステム制御部５０が露光制御、焦点調節制御を行う。これにより、ＴＴＬ（スルー・ザ・レンズ）方式のオートフォーカス（ＡＦ）処理、自動露出（ＡＥ）処理、フラッシュプリ発光（ＥＦ）処理が行われる。さらに、画像処理部２４は、Ａ／Ｄ変換器２３から出力される画像データを用いて所定の演算処理を行い、得られた演算結果に基づいてＴＴＬ方式のオートホワイトバランス（ＡＷＢ）処理も行っている。
【００２７】
Ａ／Ｄ変換器２３からの出力データは、画像処理部２４及びメモリ制御部１５を介して、或いは、メモリ制御部１５を介して、メモリ３２に書き込まれる。メモリ３２は、撮像部２２によって得られ、Ａ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２８】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データは、Ｄ／Ａ変換器１９を介して表示部２８に表示される。表示部２８は、ＬＣＤ等の表示器であって、Ｄ／Ａ変換器１９からのアナログ信号に応じた表示を行う。このように、Ａ／Ｄ変換器２３によって一度Ａ／Ｄ変換されメモリ３２に蓄積されたデジタル信号をＤ／Ａ変換器１９においてアナログ変換し、表示部２８に逐次転送して表示する。これにより、電子ビューファインダとして機能し、スルー画像表示（ライブビュー表示）を行うことができる。
【００２９】
ファインダー内液晶表示部４１には、ファインダー内表示部駆動回路４２を介して、現在オートフォーカスが行われている焦点検出領域を示す枠（ＡＦ枠）や、カメラの設定状態を表すアイコンなどが表示される。また、ファインダー外表示部４３には、ファインダー外表示部駆動回路４４を介して、シャッター速度や絞りをはじめとするカメラの様々な設定値が表示される。
【００３０】
不揮発性メモリ５６は、電気的に消去・記録可能な記録媒体であり、例えばＥＥＰＲＯＭ等が用いられる。不揮発性メモリ５６には、システム制御部５０の動作用の定数、変数、プログラム等が記憶される。ここでいう、プログラムとは、本実施形態にて後述する各種フローチャートを実行するためのコンピュータプログラムを含む。
【００３１】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。システムメモリ５２にはＲＡＭが用いられ、システム制御部５０の動作用の定数、変数、不揮発性メモリ５６から読み出したプログラム等を展開する。また、システム制御部５０は、メモリ３２、Ｄ／Ａ変換器１９、表示部２８等を制御することにより表示制御も行う。
【００３２】
モード切替スイッチ６０、第１シャッタースイッチ６２、第２シャッタースイッチ６４、操作部７０は、システム制御部５０に各種の動作指示を入力するための操作手段である。モード切替スイッチ６０は、システム制御部５０の動作モードを、静止画記録モード、動画撮影モード、再生モード等のいずれかに切り替える。静止画記録モードに含まれるモードとしては、例えば、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えることができる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３３】
第１シャッタースイッチ６２は、デジタルカメラ１００に設けられたシャッターボタン６１の操作途中、いわゆる半押し（撮影準備指示）でＯＮとなり、第１シャッタースイッチ信号ＳＷ１を発生する。システム制御部５０は、第１シャッタースイッチ信号ＳＷ１により、ＡＦ処理、ＡＥ処理、ＡＷＢ処理、ＥＦ処理等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。また、操作部７０は、上述したように、メイン電子ダイヤル７１、サブ電子ダイヤル７３、十字キー７４、ＳＥＴボタン７５、ＬＶボタン７６、拡大ボタン７７、縮小ボタン７８、再生ボタン７９、メニューボタン１７１、ＯＫボタン１７２を含む。例えば、メニューボタン１７１が押されると、各種の設定が可能なメニュー画面が表示部２８に表示される。利用者は、表示部２８に表示されたメニュー画面と、十字キー７４の上下左右の４方向ボタン及びＳＥＴボタン７５を用いて、直感的に各種設定を行うことができる。
【００３５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２はデジタルカメラ１００の電源のＯＮ，ＯＦＦを切り替えるためのスイッチである。
【００３６】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００３７】
通信部５４は、無線または有線ケーブルによって接続し、映像信号や音声信号等の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を外部機器に送信可能であり、また、外部機器から画像データやその他の各種情報を受信することができる。
【００３８】
［全体処理］
まず、図３を用いて本実施形態のデジタルカメラ１００で行われる、起動から静止画撮影までの処理について説明する。図３のフローチャートにおける各処理は、システム制御部５０が不揮発性メモリ５６等に格納されたプログラムをシステムメモリ５２に展開して実行することにより実現される。
【００３９】
電源スイッチ７２が操作され電源がオンに切り替わると、Ｓ３０１においてシステム制御部５０はフラグや制御変数等を初期化する。Ｓ３０２において、システム制御部５０は、表示部２８にスルー画像（ライブビュー画像）が表示され、第１シャッタースイッチ６２、第２シャッタースイッチ６４、操作部７０からの各種操作を待つ撮影待機状態となる。
【００４０】
Ｓ３０３では、システム制御部５０は、メニューボタン１７１が押下されたか否かを判定する。押下されていれば、Ｓ３０４に進んで、図４に示すフローチャートを参照して後述するメニュー第一階層処理へ進み、押下されていなければＳ３０５へ進む。
【００４１】
Ｓ３０５では、システム制御部５０は、メニューボタンおよびシャッターボタン６１を除く、その他の操作部材に対する操作があったか否かを判定する。その他の操作部材に対する操作があったと判定されると、Ｓ３０６に進んで、その他の操作部材に対する操作に応じた処理を実行し、Ｓ３０２に戻る。その他の操作部材に対する操作が無かったと判定されると、Ｓ３０７へ進む。
【００４２】
Ｓ３０７では、システム制御部５０は、シャッターボタン６１が半押しされ、第１シャッタースイッチ６２がＯＮ（ＳＷ１  ＯＮ）となったか否かを判定する。シャッター半押しであればＳ３０８へ進み、システム制御部５０は、ＡＦやＡＥ等の撮影準備処理を行って、Ｓ３０９へ進む。また、半押しで無ければＳ３０９へ進む。
【００４３】
Ｓ３０９では、システム制御部５０は、シャッターボタン６１が全押しされ、第２シャッタースイッチ６４がＯＮ（ＳＷ２  ＯＮ）となったか否かを判定する。シャッター全押しであればＳ３１０へ進み、システム制御部５０は、撮像部２２からの信号読み出しから記録媒体２００に画像データを書き込むまでの一連の撮影処理の動作を行う。上記処理の終了後、Ｓ３０２へ戻って前述した処理を繰り返す。
【００４４】
続いて、図４を参照して、Ｓ３０４で行われるメニュー第一階層処理について説明する。この処理は、メニューボタン１７１が押下されたときにメニューの第一階層で行われる処理である。メニュー画面では、様々な設定項目に関する設定操作を行うことができるが、そのうちメニューの第一階層では、設定操作を行う設定項目を選択する。なお、第一階層で選択した設定項目の種類によっては、第二階層において設定操作を受付けるようにしてもよいし、さらに第二階層において設定項目を選択し、第三階層以降で設定操作を受付けるようにしてもよい。
【００４５】
Ｓ４０１では、システム制御部５０は、図７（ａ）に示すメニュー画面７０１のように、システムメモリ５２に書き込まれているプログラムに従って、メニュー第一階層のメニュー画面を生成し、表示部２８に表示する。図７（ａ）のメニュー画面７０１では、アイテム７０２〜７０５が表示されており、それぞれ異なる設定項目に対応している。このとき、現在選択されている設定項目（以下、「選択中項目」と呼ぶ。）にカーソルを当てて（フォーカス状態にする）表示をする。図７（ａ）のメニュー画面７０１においてはアイテム７０２が選択されており、カーソル７０６がアイテム７０２に表示されている。
【００４６】
Ｓ４０３では、システム制御部５０は、選択する設定項目の変更操作、すなわち十字キー７４のボタン操作が行われたか否かを判定し、操作されていればＳ４０４へ進み、操作されていなければＳ４０７へ進む。なお、十字キー７４以外にも電子ダイヤルへの操作によって、選択する設定項目を変更できるようにしてもよい。Ｓ４０４では、システム制御部５０は、Ｓ４０３で操作された方向にある選択された設定項目をフォーカス状態にし、Ｓ４０７へ進む。図７（ａ）のメニュー画面７０１において下方向に（十字キー７４の下キー）操作がされると、アイテム７０２が選択された状態からアイテム７０３が選択された状態になるので、カーソル７０６はアイテム７０３に表示されるようになる。なお、ここでは選択されている設定項目が、選択されていない設定項目から区別できるように表示を変更すれば良く、色を変更することに限られるものではない。例えば、選択されていない設定項目を暗くする等、表示の明るさを変えたり、選択している設定項目の枠や文字を太くする等、様々な表示方法が考えられる。このように、本発明は表示方法により限定されるものでない。
【００４７】
Ｓ４０７では、システム制御部５０は、ＳＥＴボタン７５が押下されたか否かを判定し、ＳＥＴボタン７５が押下されていればＳ４０９へ進み、押下されていなければＳ４０８へ進む。Ｓ４０８では、システム制御部５０は、ＯＫボタン１７２が押下されたか否かを判定し、ＯＫボタン１７２が押下されていればＳ４０９へ進み、押下されていなければＳ４１２へ進む。
【００４８】
Ｓ４０９では、システム制御部５０は、Ｓ４０７もしくはＳ４０８において、ＳＥＴボタン７５またはＯＫボタン１７２の押下により確定操作されたときの選択中の設定項目（カーソルが表示されていたアイテムの設定項目）が、メモリカード等の記録媒体のフォーマット設定か否かを判定する。図７（ａ）のメニュー画面７０１には不図示であるが、Ｓ４０３における選択する設定項目の変更操作に応じて、メモリカード等の記録媒体のフォーマット設定の設定項目も選択することができる。記録媒体のフォーマット設定であれば、Ｓ４１０の記録媒体のフォーマット設定処理へ遷移し、それ以外であればＳ４１１へ進んで、システム制御部５０は、それ以外のメニュー操作処理へ遷移する。なお、Ｓ４１０の処理は図６を参照して、また、Ｓ４１１の処理は図５を参照して詳細に後述する。Ｓ４１０またはＳ４１１の処理が完了すると、Ｓ４０３に戻る。
【００４９】
一方、Ｓ４１２では、メニューボタン１７１が押下されたか否かを判定し、押されていればＳ４１３へ進み、メニュー画面を表示する前の画面（スルー画像）を表示し、図３に示す撮影待機画面フローへ戻る。なお、メニュー画面の表示前に再生画面を表示していた場合には、再生画面を表示する。メニューボタン１７１が押下されていない場合はＳ４０３へ戻り、メニュー画面の表示を継続する。
【００５０】
続いて、図５を参照して、Ｓ４１１で行われる処理について説明する。Ｓ５０１では、システム制御部５０は、図４のＳ４０９での判定がされた際の選択中項目に関する設定をするメニュー画面（設定画面）を生成し、表示部２８に表示する。Ｓ４０９においてタッチ操作を示す設定項目が選択されていた場合には、図７（ｂ）のメニュー画面７０７に示すように、タッチ操作に関する設定を受付ける設定画面が表示部２８に表示される。Ｓ５０１においては、設定候補（選択項目）を示すアイテムのうち、いずれかが選択された状態で表示される。現在の設定がタッチ操作有効であれば有効、現在の設定がタッチ操作無効であれば無効が選択された状態（カーソルが表示された状態）になる。図７（ｂ）のメニュー画面７０７であれば、有効を示すアイテム７０８と無効を示すアイテム７０９のうち、アイテム７０８が選択状態で表示されている。
【００５１】
Ｓ５０３では、システム制御部５０は、選択する設定項目の変更操作、すなわち十字キー７４のボタン操作が行われたか否かを判定し、操作されていればＳ５０４へ進み、操作されていなければＳ５０７へ進む。なお、十字キー７４以外にも電子ダイヤルへの操作によって、選択する設定項目を変更できるようにしてもよい。Ｓ５０４では、システム制御部５０は、Ｓ５０３で操作された方向にある選択された設定項目をフォーカス状態にし、Ｓ５０７へ進む。図７（ａ）のメニュー画面７０１において下方向に（十字キー７４の下キー）操作がされると、アイテム７０２が選択された状態からアイテム７０３が選択された状態になるので、カーソル７０６はアイテム７０３に表示されるようになる。なお、ここでは選択されている設定項目が、選択されていない設定項目から区別できるように表示を変更すれば良く、色を変更することに限られるものではない。例えば、選択されていない設定項目を暗くする等、表示の明るさを変えたり、選択している設定項目の枠や文字を太くする等、様々な表示方法が考えられる。このように、本発明は表示方法により限定されるものでない。
【００５２】
Ｓ５０７では、システム制御部５０は、ＳＥＴボタン７５が押下されたか否かを判定し、ＳＥＴボタン７５が押下（確定操作）されていればＳ５０９へ進み、押下されていなければＳ５０８へ進む。Ｓ５０８では、システム制御部５０は、ＯＫボタン１７２が押下されたか否かを判定し、ＯＫボタン１７２が押下（確定操作）されていればＳ５０９へ進み、押されていなければＳ５１０へ進む。
【００５３】
Ｓ５０９では、システム制御部５０は、Ｓ５０７もしくはＳ５０８において、ＳＥＴボタン７５またはＯＫボタン１７２の押下により確定操作されたときの選択中の選択項目に確定して、この設定値、もしくは設定をシステムメモリ５２へ書き込む。書き込みが終了すると、設定項目を一覧表示した画面、例えば図７（ａ）のメニュー画面７０１のような画面に戻る。図７（ｂ）、（ｃ）のメニュー画面７０７において確定操作がされた場合には、タッチ操作が有効または無効の何れかに設定がされる。
【００５４】
このように、記録媒体のフォーマット設定処理以外の設定項目においては、ＳＥＴボタン７５とＯＫボタン１７２の操作による処理は共通である。なお、記録媒体のフォーマット設定処理以外の設定項目の場合にはＯＫボタン１７２の押下による確定操作ができないようにしてもよい。
【００５５】
Ｓ５１０では、システム制御部５０は、メニューボタン１７１が押下されたか否かを判定し、メニューボタン１７１が押下されていればＳ５１１へ進み、一階層上の画面へ戻る制御を行って、メニュー操作処理を終了する。押下されていない場合は、Ｓ５０３へ戻って、メニュー操作処理を継続する。
【００５６】
続いて、図６を用いて、Ｓ４１０で行われる記録媒体のフォーマット設定処理について説明する。Ｓ６０１では、システム制御部５０は、システムメモリ５２に書き込まれているプログラムに従って、記録媒体のフォーマット設定のメニュー画面を生成し、表示部２８に表示する。図８（ａ）に示す、カードのフォーマットを設定するためのメニュー画面８０１のようなメニュー画面がＳ６０１において表示される。このとき、カードのフォーマットに関する選択肢、「はい」と「いいえ」のうち、はいが選択状態であり、「はい」を示すアイテム８０２と「いいえ」を示すアイテム８０３のうち、アイテム８０２にカーソル８０４が表示される。更に、メニュー画面８０１においては、カードのフォーマットにおいてはカード内の全てのデータが削除されることを示すガイド８０１ａを表示する。ここで、意図せずカードのフォーマットを選択したユーザは、このままフォーマット処理を行う設定をしてしまうと、カード内の記録が削除されてしまうことを認識することができる。
【００５７】
なお、メニュー画面８０１（確認画面）が最初に表示されている時にカーソルの当たっている選択肢は「はい」にしてもよい。確認画面を表示させた時に、「はい」にカーソルが当たっているとユーザはＯＫボタン１７２を押下するだけでフォーマット処理を実行することができる。「いいえ」にカーソルが当たっていると、フォーマットをしようと思って確認画面を表示させたユーザにとっては十字キー７４でカーソルを移動させ、さらにＯＫボタン１７２を押下する操作が必要になるので、操作手番が多くなる。よって最初に「はい」にカーソルを当てておいた方が、操作手番が少なく操作性が向上する。
【００５８】
また、確認画面の表示時に「いいえ」にカーソルが当たるようにした場合にはＳＥＴボタン７５でもフォーマット実行できるようにしてもよい。最初から「いいえ」にカーソルが当たっているので、フォーマットを実行したいユーザはカーソル移動と、「はい」の確定操作が必要となる。つまり、「いいえ」から「はい」へと選択肢を変更する操作をしたユーザはフォーマットをする意思がある可能性が高く、よりすばやくフォーマットが実行できるようにＳＥＴボタン７５での実行を受付けるようにした方が、操作性が高くなる。図５で説明をしたタッチ操作の設定の場合には、設定画面が表示された時にカーソルの表示される位置は、現在の設定に応じて変わることを説明したがカードのフォーマットの場合には「はい」または「いいえ」の何れかに固定してもよい。
【００５９】
Ｓ６０２では、システム制御部５０は、選択する設定項目の変更操作、すなわち十字キー７４のボタン操作が行われたか否かを判定し、操作されていればＳ６０３へ進み、操作されていなければＳ６０７へ進む。なお、十字キー７４以外にも電子ダイヤルへの操作によって、選択する設定項目を変更できるようにしてもよい。Ｓ６０３では、システム制御部５０は、Ｓ６０２で操作された方向にある選択された設定項目をフォーカス状態にし、Ｓ６０７へ進む。図７（ａ）のメニュー画面７０１において下方向に（十字キー７４の下キー）操作がされると、アイテム７０２が選択された状態からアイテム７０３が選択された状態になるので、カーソル７０６はアイテム７０３に表示されるようになる。なお、ここでは選択されている設定項目が、選択されていない設定項目から区別できるように表示を変更すれば良く、色を変更することに限られるものではない。例えば、選択されていない設定項目を暗くする等、表示の明るさを変えたり、選択している設定項目の枠や文字を太くする等、様々な表示方法が考えられる。このように、本発明は表示方法により限定されるものでない。
【００６０】
Ｓ６０４では、システム制御部５０は、現在選択中の選択項目が「はい」であるか否かを判定する。選択中の選択項目が「はい」であると判定した場合は、Ｓ６０５へ進み、そうでない場合は、Ｓ６０６へ進む。
【００６１】
Ｓ６０５では、システム制御部５０は、「はい」を示すアイテム８０２の右の部分に、ＯＫボタン１７２で確定操作ができることを示すガイド８０５を表示する。これにより、ユーザは「はい」が選択された状態においてＯＫボタン１７２への操作によってメモリーカードのフォーマットが行われることを把握することができる。「はい」の場合には、ユーザが意図せず確定操作をしないようにＯＫボタン１７２で確定されることを示す。ユーザは、他の設定項目の選択項目を確定する操作はＳＥＴボタン７５でも行えるのに対し、カードのフォーマットを実行する操作はＯＫボタン１７２で確定されることが分かる。よって、ユーザは他の選択項目とは異なり簡単に実行してはいけない選択項目であることを認識することができる。すなわち、どのような処理が実行されるのか、どのような設定結果に反映されるのか等を確認するために、試しに実行をして、設定を戻すというような気軽に設定してよい設定項目ではないことを認識することができる。
【００６２】
Ｓ６０５では、システム制御部５０は、「いいえ」を示すアイテム８０３の右の部分に、「ＳＥＴボタン」で確定操作ができることを示すガイド８０６を表示する。これにより、ユーザは「いいえ」が選択された状態においてＳＥＴボタン７５への操作により、カードのフォーマットを実行しないようにすることができる、もしくはメニュー画面８０１から抜けられることが分かる。意図せずカードのフォーマットを選択してしまったユーザにとっては、記録の削除は行いたくない操作であり、さらに速く他の所望の設定項目へと移動できた方がよい。よって、他の設定項目の選択項目を確定するのと同様に、ＳＥＴボタン７５への操作で「いいえ」を確定できた方が、十字キー７４への操作から素早く操作をすることができる。なお、「いいえ」の場合には他の設定項目の選択項目を確定する場合の操作と同じなのでガイド８０６は表示しなくてもよい。
【００６３】
このガイド８０４はより目立たせるために、点滅表示を行っても良い。また、ここでは選択されている項目が、選択されていない項目から区別できるように表示を変更すれば良く、色を変更することに限られるものではない。例えば、選択されていない項目を暗くする等、表示の明るさを変えたり、選択している項目の枠や文字を太くする等、様々な表示方法が考えられる。このように、本発明は表示方法により限定されるものでない。なお、ガイド８０５、８０６は各アイテム内に表示しなくてもメニュー画面８０１内の他の領域に表示してもよい。
【００６４】
Ｓ６０７では、システム制御部５０は、ＳＥＴボタン７５が押下されたか否かを判定し、ＳＥＴボタン７５が押下（確定操作）されていればＳ６０８へ進み、押下されていなければＳ６０９へ進む。Ｓ６０８では、システム制御部５０は、現在のフォーカス項目が「はい」であるか否かを判定し、フォーカス項目が「はい」（図８（ａ））の状態であれば、記録媒体のフォーマットを行わず（Ｓ６１５）にＳ６０３へ戻る。このとき、表示部２８に表示されているＯＫボタンのガイド８０４を点滅させたり、色を変えてより目立つようにすることで、ユーザにＳＥＴボタン７５ではなくＯＫボタンでフォーマットが実行可能であることを示してもよい。
【００６５】
一方、Ｓ６０７でＮｏと判定され、フォーカス項目が「いいえ」（図８（ｂ））の状態であれば、本画面を終了して、図４に示すメニュー第一階層のフローへ戻る。このように、フォーマット処理では、選択中項目が「はい」の場合にＳＥＴボタン７５の処理を無効とし、「いいえ」の場合にはＳＥＴボタン７５を有効としている。
【００６６】
Ｓ６０９では、システム制御部５０は、ＯＫボタン１７２が押下されたか否かを判定し、ＯＫボタン１７２が押下（確定操作）されていればＳ６１０へ進み、押下されていなければＳ６１２へ進む。Ｓ６１０では、現在のフォーカス項目を判定し、フォーカス項目が「はい」（図８（ａ））であればＳ６１１へ進み、「いいえ」（図８（ｂ））の場合は本画面を終了して、図４に示すメニュー第一階層処理のフローへ戻る。このように、フォーマット処理では、選択中項目が「はい」、「いいえ」のいずれの状態であっても、ＯＫボタン１７２の操作を有効としている。
【００６７】
Ｓ６１１では、システム制御部５０は、記録媒体のフォーマット処理を実行し、実行完了後に図４に示すメニュー第一階層処理のフローへ戻る。Ｓ６１１においては記録媒体に記録されていた画像データ、音声データ等が削除される。
【００６８】
Ｓ６１２では、システム制御部５０は、メニューボタン１７１が押下されたか否かを判定し、メニューボタン１７１が押下されていればＳ６１３へ進む。Ｓ６１３においては、システム制御部５０は、一階層上の画面へ戻る制御を行って、図６の記録媒体のフォーマット設定処理を終了する。押下されていない場合は、Ｓ６０３へ戻って、記録媒体のフォーマット設定処理を継続する。
【００６９】
以上、説明した実施形態によれば、ユーザが意図しない場合にフォーマット設定処理が実行される可能性を低減させることができる。
【００７０】
なお、「いいえ」はＳＥＴボタン７５でもＯＫボタン１７２でも確定（決定）できるようにしてもよいので、アイテム８０３が選択された場合には、図８（ｃ）のメニュー画面８０１に示すようにガイドを表示してもよい。ＯＫ／ＳＥＴと表示することでいずれのボタンでも確定操作を行えることが分かる。
【００７１】
なお、上述した例では、フォーマット設定処理の場合に、フォーカス項目が「はい」の場合に、ＳＥＴボタン７５を無効にして、フォーマット処理が実行されないようにしたが、本発明は、フォーマット設定処理に限るものではない。例えば、言語設定（意図せず理解できない言語にすると設定を戻しにくい）、ＳＮＳ等への画像データのアップロード（一度アップロードしてしまうと削除しにくい）等において本実施形態を適用してもよい。
【００７２】
また、図５のメニュー操作処理ではタッチ操作の有効、無効を設定する画面を例に挙げて説明をしたが、これに限らずその他の項目の設定画面でもよい。すなわち、ＡＦ（オートフォーカス）に関する設定（１点ＡＦか、追尾ＡＦかといった選択項目から選択する）や、ストロボ設定（発光量を大、中、小のいずれかから選択する）でもよい。さらに、節電設定（ＯＮとＯＦＦから選択する）や、液晶の明るさ設定（５段階などの複数段階から選択する）、消音設定、撮影に関する設定値の設定等を設定する設定画面でもよい。上述した設定項目は、意図せず設定をしてしまっても同じ設定画面で設定をし直せば、もとの設定値、または状態に戻すことができる。つまり、ＡＦに関する設定をＡＦ設定画面において、１点に意図せず設定してしまったとしても、１点を設定した時と同じようにＡＦ設定画面において追尾ＡＦに戻すことができる。一方、カードのフォーマットは同じ設定画面において、初期化後に「いいえ」を選択しても削除した画像データ等が戻るわけではない。
【００７３】
さらに、本実施形態は確定操作を行うために、ＳＥＴボタン７５とＯＫボタン１７２とを、使い分けることを説明したが、ボタンでなくてもタッチ操作でも適用可能である。上述の実施形態に沿って説明をすると、カードのフォーマット以外の設定項目においては、選択項目の近くの確定アイテムへのタッチもしくは、選択項目を２回タッチする操作で実行可能であるが、カードのフォーマットの場合には以下のようにしてもよい。すなわち、ボタン等の物理操作部材の押下や、選択項目から離れた位置にある確定アイテムへのタッチ等によりカードのフォーマットの実行は確定できるようにする。
【００７４】
なお、画像の削除でもカードのフォーマットではなく、再生画面において削除する画像を選択した後に削除する操作を行う選択削除の際にも、上述の実施形態を適用してもよい。つまり、例えば５枚画像を選択した後、ＯＫボタン１７２を押下したことに応じて確認画面が表示されるような場合に、「はい」はＯＫボタン１７２で確定されるが、「いいえ」はＳＥＴボタン７５でも確定できるようにする。一方で、１枚の画像の表示中に削除ボタン（不図示）を押下することにより１枚ずつ画像を削除するような場合には、この限りではなく、削除ボタンの押下で確認画面の表示をし、もう一度削除ボタンを押下すると削除、キャンセルボタンの選択で元の画面に戻るようにしてもよい。
【００７５】
また、システム制御部５０の制御は１つのハードウェアが行ってもよいし、複数のハードウェアが処理を分担することで、装置全体の制御を行ってもよい。
【００７６】
また、本発明をその好適な実施形態に基づいて詳述してきたが、本発明はこれら特定の実施形態に限られるものではなく、この発明の要旨を逸脱しない範囲の様々な形態も本発明に含まれる。
【００７７】
また、上述した実施形態においては、本発明をデジタルカメラ１００に適用した場合を例にして説明したが、これはこの例に限定されず、２つ以上の確定操作を受付け可能な操作部材のある電子機器であれば適応可能である。すなわち、本発明はパーソナルコンピュータやＰＤＡ、携帯電話端末や携帯型の画像ビューワ、ゲーム機、電子ブックリーダーなどに適用可能である。
【００７８】
＜その他の実施形態＞
また、本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７９】
１８：記録媒体Ｉ／Ｆ、２２：撮像部、２８：表示部、５０：システム制御部、５２：システムメモリ、５６：不揮発性メモリ、７０：操作部、７４：十字キー、７５：ＳＥＴボタン、１７２：ＯＫボタン、２００：記憶媒体
【図１】
2018109834.tif 000003
【図２】
2018109834.tif 000004
【図３】
2018109834.tif 000005
【図４】
2018109834.tif 000006
【図５】
2018109834.tif 000007
【図６】
2018109834.tif 000008
【図７】
2018109834.tif 000009
【図８】
2018109834.tif 000010